(57)【要約】【課題】積雪時等、雪の重みに耐えられるように飾り部に十分な強度を持たせるとともに、屋根から滑り落ちた雪をスムースに排雪することができる集水器飾り部補強構造を提供する。【解決手段】集水器本体１の上部に形成された飾り部Ａとこの飾り部Ａを覆って着脱自在に装着される補強部Ｂとからなる補強構造であって、上記補強部Ｂは略逆Ｕ字型に開口し、前後に開放するとともに山型で裾下がりの形状を有する天面部５とこの天面部５に連接して垂下する左右の垂下部６とからなり、上記飾り部左右外側面には上記補強部Ｂが弾性的に係止する嵌合凹部４が設けられた集水器飾り部補強構造。【選択図】図３
2008156901.tif 000002
【特許請求の範囲】
【請求項１】
集水器本体の上部に形成された飾り部とこの飾り部を覆って着脱自在に装着される補強部とからなる補強構造であって、上記補強部は略逆Ｕ字型に開口し、前後に開放するとともに、山型で裾下がりの形状を有する天面部とこの天面部に連接して垂下する左右の垂下部とからなり、上記飾り部左右外側面には上記補強部が弾性的に係止する嵌合凹部が設けられた集水器飾り部補強構造。
【請求項２】
上記補強部の左右垂下部の下端は略直角に内側に折り曲げられて嵌合係止片を形成し、上記嵌合凹部にスライド自在に弾性係止する請求項１に記載の集水器飾り部補強構造。
【請求項３】
上記嵌合係止片の軒先側部分が折り返されて係止用爪部とされた請求項２に記載の集水器飾り部補強構造。
【請求項４】
上記補強部が弾性を有する合成樹脂から形成された請求項１に記載の集水器飾り部補強構造。
【発明の詳細な説明】
【技術分野】
【０００１】
本発明は、雨樋に取り付けられる集水器の補強構造に関する。さらに詳しくは、集水器の上部に設けられる飾り部を補強するための集水器飾り部の補強構造に関する。
【背景技術】
【０００２】
通常、軒樋を流れた雨水は集水器で集水され、竪樋を経て排水管に排出される。このとき、集水器本体の上部には外観の意匠性を高めるため、飾り部を取付けることが多い。上記飾り部は金属またはプラスチックスを上に向かって拡開するように、段状に折曲、成形し、さらに施工したときに瓦の先端にぶつからないように略コ字型に形成し、建物の軒先に取付けられる。
【０００３】
しかしながら、雪国等、積雪地帯では、屋根に積もった雪で、上記飾り部、さらには、集水器本体までも破損することがある。これは、多量の積雪による重量や、また、春先の雪解けの際、雪が一度に滑り落ちたりするときに発生するものである。このような問題を解決するため、下記特許文献１には、略角筒状の集水器本体と該本体の上部に載置される飾り部よりなる雨樋集水器において、上記飾り部の内面側に略コ字状の第１の補強板を設け、さらに上端を第２の補強板にて被閉してなる金属製雨樋集水器が提案されている。
【特許文献１】実開昭５７−１３５６２９号公報（第１頁、第１図、第２図、第３図）
【発明の開示】
【発明が解決しようとする課題】
【０００４】
しかしながら、上記特許文献１に記載の金属製雨樋集水器は、飾り部の上面を若干の勾配を付けて補強板にて被閉し、雪害を防ごうとしているものであるが、屋根に積もった雪が滑り落ちてきたとき、必ずしも十分に排雪することができず、依然として上記補強板上に残り、飾り部が破損するという問題がある。
【０００５】
本発明はこのような問題を解決して、積雪時等、雪の重みに耐えられるように、飾り部に十分な強度を持たせるとともに、屋根から滑り落ちた雪をスムースに排雪することができる集水器飾り部補強構造を提供することを、その課題とする。
【課題を解決するための手段】
【０００６】
上記課題を解決するために、本発明においては、つぎのような技術的手段を講じている。すなわち、請求項１に記載の発明によれば、集水器本体の上部に形成された飾り部とこの飾り部を覆って着脱自在に装着される補強部とからなる補強構造であって、上記補強部は略逆Ｕ字型に開口し、前後に開放するとともに、山型で裾下がりの形状を有する天面部とこの天面部に連接して垂下する左右の垂下部とからなり、上記飾り部左右外側面には上記補強部が弾性的に係止する嵌合凹部が設けられた集水器飾り部補強構造が提供される。
【０００７】
請求項２に記載の集水器飾り部補強構造は、請求項１に記載の発明に加えて、上記補強部の左右垂下部の下端は略直角に内側に折り曲げられて嵌合係止片を形成し、上記嵌合凹部にスライド自在に弾性係止される。
【０００８】
請求項３に記載の集水器飾り部補強構造は、請求項２に記載の発明に加えて、上記嵌合係止片の軒先側部分を折り返して係止用爪部としたものである。
【０００９】
請求項４に記載の集水器飾り部補強構造は、請求項１に記載の発明に加えて、上記補強部が弾性を有する合成樹脂から形成したものである。
【発明の効果】
【００１０】
請求項１に記載の発明にかかる集水器飾り部補強構造は上記のとおりであり、飾り部と補強部とからなり、この補強部は、山型で裾下がりの形状を有する天面部とこの天面部に連接して垂下する左右の垂下部とからなっているため、積雪による上方からの圧力に耐えて飾り部を保護し、上からの雪は、天面部の側方に連なって垂設された垂下部に沿って滑り落ち、容易に排雪することができる。また、天面部の前方へのスロープに連なって飾り部の前飾り板に沿って滑り落ち、容易に排雪することができる。さらに、上記飾り部左右外側面には上記補強部が弾性的に係止する嵌合凹部が設けられているため、上記補強部を着脱自在に飾り部に取付けることができる。
【００１１】
請求項２に記載の集水器飾り部補強構造は上記のとおりであり、請求項１の集水器飾り部補強構造の有する効果に加え、上記補強部の左右垂下部の下端は略直角に内側に折り曲げられて嵌合係止片を形成し、上記嵌合凹部にスライド自在に弾性係止するため、既に施工済みの集水器についても簡単に後付けすることができる。
【００１２】
請求項３に記載の集水器飾り部補強構造は上記のとおりであり、請求項２の集水器飾り部補強構造の有する効果に加え、嵌合係止片の軒先側部分を折り返して係止用爪部とすることにより、嵌合係止片を嵌合凹部にスライド自在に弾性係止したとき、上記係止用爪部が飾り部の左右飾り板の下端部にしっかりと係止し、一旦装着された補強部が雪の重み等で弾性変形した場合等でも飾り部からの脱落を防げる。
【００１３】
請求項４に記載の集水器飾り部補強構造は上記のとおりであり、請求項１の集水器飾り部補強構造の有する効果に加え、上記補強部が弾性を有する合成樹脂から形成されているため、例えば、補強部を硬質塩化ビニル樹脂、ポリプロピレン樹脂、ポリエチレン樹脂、ＡＢＳ樹脂、ポリカーボネート樹脂等、弾性を有する合成樹脂から形成することにより、補強部を飾り部にしっかりと弾性係止することができる。
【発明を実施するための最良の形態】
【００１４】
以下、本発明にかかる集水器飾り部補強構造の実施形態について図面を参照して詳細に説明する。図１は、本発明の集水器飾り部補強構造にかかる集水器を示す斜視図である。図１に示されるように、飾り部Ａは、支持部２と一体的に形成され、この支持部２は、集水器本体１の上部に接着、ビス留め等公知の方法により固定されている。また、集水器本体１の両側面には軒樋を嵌入するための切り込み１１が設けられ、下方には排水用の竪樋が取り付けられる。
【００１５】
上記飾り部Ａは、外観意匠を考慮して略コ字型に形成され、また、上記支持部２も上方に向けて徐々に拡開する略コ字型に形成されている。図１に示されているように、支持部２は、側壁部２１と、飾り部Ａと連設される立ち上がり部２２と、側壁部２１の下端を内側に折り曲げ、さらに先端を下方に折り曲げて形成された下折り返し部２３とからなる。この下折り返し部２３は、集水器本体１の上端に当接されて上記のように接着、ビス留め等公知の方法により固定される。
【００１６】
一方、飾り部Ａは、緩やかに湾曲した左右飾り板３１および前飾り板３２とからなり、それぞれ、その下端は内側に折り曲げられる。このとき、左右の飾り板３１の下端部３１１は嵌合凹部４を形成するように略Ｕ字型に折り返され上記支持部２の立ち上がり部２２に結合される。
【００１７】
図２は、飾り部Ａを覆って着脱自在に装着される補強部Ｂを示す斜視図である。図２に示すように、補強部Ｂは、略逆Ｕ字型に開口し、前後に開放するとともに、天面部５と天面部５の左右に垂下する垂下部６とから構成されている。図２において、天面部５は山型で裾下がりの形状を有し、その左右に連接して垂下部６が緩やかに湾曲して垂設されている。また、上記垂下部６はそれぞれ、下端が略直角に内側に折り曲げられて嵌合係止片６１を形成し、この嵌合係止片６１は上記飾り部Ａの左右の飾り板３１の下端に形成された嵌合凹部４にスライド自在に弾性係止する。さらに、上記嵌合係止片６１の軒先側部分は折り返されて係止用爪部６１１とされ、嵌合凹部４を形成する飾り板３１の下端部３１１にしっかりと係止する。
【００１８】
図３は、上記補強部Ｂを飾り部Ａに装着する状態を示す説明図である。図４は、図３に示す白抜き矢印の方向に補強部Ｂを軒先側から飾り部Ａに装着し、飾り部Ａの開口部を覆った状態を示す斜視図である。図４に示されているように、補強部Ｂの天面部５は集水器本体１の内部に雪が入ることを防ぐとともに、上記嵌合係止片６１は嵌合凹部４に着脱自在に弾性係止する。また、嵌合係止片６１の軒先側部分を折り返して形成された係止用爪部６１１は、左右の飾り板３１の下端部３１１にしっかりと係止し、一旦装着された補強部Ｂが雪の重み等で弾性変形しても飾り部Ａから脱落することを防ぐ。
【００１９】
図３、図４に示されているように、補強部Ｂの天面部５は山型の裾下がりの形状を有しているため、積雪による上方からの圧力に耐えることが可能であり、上からの雪は、側方へはスロープに沿って、天面部５に連なる緩やかに湾曲して垂設された左右の垂下部６に滑り落ち、容易に排雪することができる。また、前方へは、天面部５の前方へのスロープから飾り部Ａの前飾り板３２に沿って滑り落ち、容易に排雪することができる。
【００２０】
図５は、集水器本体１の飾り部Ａに補強部Ｂを装着した本発明にかかる集水器飾り部補強構造を軒先に取付けた状態を示す側面図である。図１に示した集水器本体１の両側面に設けられた切り込み１１には軒樋７が嵌入され、下方には排水用の竪樋８が取り付けられている。図５に示すように、上記飾り部Ａは、施工したときに瓦の先端にぶつからないように平面視略コ字型に形成され、集水器本体１の開口部に雨水が流入するように建物の軒先に取付けられる。そして、積雪時には、補強部Ｂが屋根に積もった雪Ｓが解けて滑り落ちる際、集水器本体１や飾り部Ａに当たって破損することを防ぐ。
【００２１】
このように、本発明にかかる集水器飾り部補強構造を使用することにより、降雪や屋根から滑り落ちる雪を前方や側方に排雪して集水器本体１や飾り部Ａを雪害から保護することが可能となる。また、耐久性よく長期に亘って使用でき、飾り部Ａのみを取付けた既設の集水器本体１に補強部Ｂを後付けできる等、種々の利点を有するものである。
【図面の簡単な説明】
【００２２】
【図１】本発明の集水器飾り部補強構造にかかる集水器を示す斜視図である。
【図２】本発明の集水器飾り部補強構造にかかる補強部を示す斜視図である
【図３】上記補強部を飾り部に装着する状態を示す説明図である。
【図４】上記補強部を飾り部に装着した状態を示す斜視図である。
【図５】本発明にかかる集水器飾り部補強構造を軒先に取付けた状態を示す側面図である。
【符号の説明】
【００２３】
１          集水器本体
１１        切り込み
２          支持部
２１        側壁部
２２        立ち上がり部
２３        下折り返し部
Ａ          本発明の集水器飾り部補強構造にかかる飾り部
３１        左右飾り板
３１１      下端部
３２        前飾り板
４          嵌合凹部
Ｂ          本発明の集水器飾り部補強構造にかかる補強部
５          天面部
６          垂下部
６１        嵌合係止片
６１１      係止用爪部
７          軒樋
８          竪樋
Ｓ          雪
【図１】
2008156901.tif 000003
【図２】
2008156901.tif 000004
【図３】
2008156901.tif 000005
【図４】
2008156901.tif 000006
【図５】
2008156901.tif 000007